(57)【要約】【課題】  簡単な構成により汎用性を高める。【解決手段】  プラスチックシートによって上部側に表示部２を、下部側に保持台部３を、この保持台部と上記表示部との間に係止溝４をそれぞれ一体的にかつ弾性変形可能に形成され、背部が開放された半割り状に形成加工されており、ハーフ形ダミー体５の上方に直立状態に取り付けられるものであり、保持台部３はハーフ形ダミー体の本体５ａ内に差込み可能であり、係止溝４の下側内壁が保持台部の受け部３ａによって構成され、係止溝４内にはハーフ形ダミー体の上板５ｂの背部端部側が差込み可能である。【選択図】          図１
2007122460.tif 000002
【特許請求の範囲】
【請求項１】
本体が半割り状であってその上部が上板で閉塞されているハーフ形ダミー体の上方に起立する販売促進表示板において、
上部側に表示部を、下部側に保持台部を、この保持台部と上記表示部との間に係止溝をそれぞれ一体的に形成してあり、
上記表示部の正面には商品促進事項を表示してあり、
上記保持台部は、上記ハーフ形ダミー体の本体内に差込み可能であり、
上記係止溝内には、上記ハーフ形ダミー体の上板の背部端部側が差込み結合可能である
ことを特徴とするハーフ形ダミー体用の販売促進表示板。
【請求項２】
保持台部の上面は、係止溝の下側の内壁を構成していることを特徴とする請求項１記載のハーフ形ダミー体用の販売促進表示板。
【請求項３】
保持台部の上面は、係止溝の差込み側の開口部に向けて次第に狭くなるように傾斜されていることを特徴とする請求項２記載のハーフ形ダミー体用の販売促進表示板。
【請求項４】
保持台部は、少なくとも受け部と前部とを備え、上記受け部の上面が係止溝の下側の内壁を構成し、前部がハーフ形ダミー体の本体内面に接触可能であることを特徴とする請求項２又は請求項３記載のハーフ形ダミー体用の販売促進表示板。
【請求項５】
保持台部は、受け部、前部及び下部を備え、上記受け部の上面が係止溝の下側の内壁を構成し、前部がハーフ形ダミー体の本体内面に接触可能であることを特徴とする請求項２又は請求項３記載のハーフ形ダミー体用の販売促進表示板。
【請求項６】
表示部、保持台部及び係止溝は、フィルム状のプラスチックシートにより一体かつ弾性変形可能に成形されているものであることを特徴とする請求項１乃至請求項５のいずれかに記載のハーフ形ダミー体用の販売促進表示板。
【発明の詳細な説明】
【技術分野】
【０００１】
この発明は、自動販売機に用いられているハーフ形ダミー体用の販売促進表示板に関するものである。
【背景技術】
【０００２】
自動販売機の商品見本であるダミー体に付属されている従来の販売促進表示板として、例えば実用新案登録第３１０３５７７号公報に記載の「販売促進表示部」及び実用新案登録第３０４１８９７号公報に記載の「表示材」（以下それぞれ「従来例１」及び「従来例２」という。）が提案されている。
従来例１における販売促進表示部は、半割り状のダミー体である商品模型の上部に配置されているものである。上記商品模型は、その本体が半割り状であってその上部が上板である上端部で閉塞されているハーフ形缶見本である。販売促進表示部は上記商品模型と一体に成形されており、上端部の背面より上方に起立されている。
従来例２における表示材は、見本缶の上端縁部に着脱自在であって、下部に取付部を形成し、この取付部に上下の舌片を設けて、各舌片を折り曲げて形成される差込み口を見本缶の上端縁部内面側の引掛かり部に係合して見本缶に直立させるものである。
【特許文献１】実用新案登録第３１０３５７７号公報
【特許文献２】実用新案登録第３０４１８９７号公報
【発明の開示】
【発明が解決しようとする課題】
【０００３】
従来例１の販売促進表示部は商品模型と一体に成形されているために、既存の商品模型に使用することができないばかりではなく、単一の商品模型に対して多種類の販売促進表示部を対応させることができないから、必要に応じて種類の異なる販売促進表示部を変更することができず、販売促進表示部の汎用性に課題があった。
従来例２における表示材は、見本缶に着脱自在であるから従来例１の課題を解決することができるものの、見本缶に上端縁部内面に引っ掛かり部がないものにあっては使用することができない。この限りでは汎用性を高めるためには改善の余地がある。
この発明の目的は、簡単な構成により汎用性を高めることにある。
【課題を解決するための手段】
【０００４】
この発明の第１の特徴は、本体が半割り状であってその上部が上板で閉塞されているハーフ形ダミー体の上方に起立する販売促進表示板において、上部側に表示部を、下部側に保持台部を、この保持台部と上記表示部との間に係止溝をそれぞれ一体的に形成してあり、上記表示部の正面には商品促進事項を表示してあり、上記保持台部は、上記ハーフ形ダミー体の本体内に差込み可能であり、上記係止溝内には、上記ハーフ形ダミー体の上板の背部端部側が差込み結合可能であることにある。
この発明の第２の特徴は、上記第１の特徴を前提として、保持台部の上面が係止溝の下側の内壁を構成していることにある。
この発明の第３の特徴は、上記第２の特徴を前提として、保持台部の上面が係止溝の差込み側の開口部に向けて次第に狭くなるように傾斜されていることにある。
この発明の第４の特徴は、上記第２又は第３の特徴を前提として、保持台部が少なくとも受け部と前部とを備え、上記受け部の上面が係止溝の下側の内壁を構成し、前部がハーフ形ダミー体の本体内面に接触可能であることにある。
この発明の第５の特徴は、上記第２又は第３の特徴を前提として、保持台部が受け部、前部及び下部を備え、上記受け部の上面が係止溝の下側の内壁を構成し、前部がハーフ形ダミー体の本体内面に接触可能であることにある。
この発明の第６の特徴は、上記第１乃至第５のいずれかの特徴を前提として、表示部、保持台部及び係止溝がフィルム状のプラスチックシートにより一体かつ弾性変形可能に成形されているものであることにある。
【発明の効果】
【０００５】
この発明によれば、既存のハーフ形ダミー体にも簡易に取り付けて使用することができ、そしてハーフ形ダミー体の表示が変更されても新たなものと交換することによりその変更に対応することができ、ハーフ形ダミー体の上端縁部の引っ掛かり部の有無に関係なく使用することができるから従来例と比較して汎用性が高められる。
この発明によれば、ハーフ形ダミー体に何等の加工を施すことなくしかもこのハーフ形ダミー体に対して係止溝を介して着脱自在可能であるから、構成が簡単であって、製造コストを低く抑えることができる。
【発明を実施するための最良の形態】
【０００６】
図１〜図４において、販売促進表示板１は、背部が開放された半割り状に形成加工されており、表示部２、保持台部３及び係止溝４からなる。販売促進表示板１は、プラスチックシートによって上部側に表示部２を、下部側に保持台部３を、この保持台部と上記表示部との間に係止溝４をそれぞれ一体的にかつ弾性変形可能に形成されている。販売促進表示板１は、ハーフ形ダミー体５の上部に起立状態に取り付けられるものである。
【０００７】
表示部２は、図２に示すように、その正面前面に商品促進事項２ａが表示されており、商品促進事項として、例えば宣伝文、品質や効能などを簡単に表示した説明文などである。商品促進事項２ａの表示方法は印刷、また図１に示すように表示部自体を型成形により凹凸を施すなど適宜なものが選択される。表示部２の外形形状はハーフ形ダミー体５の外観デザインとの整合性を考慮しながら、四角形、半円形、雲形など適宜な輪郭を有する形状にするが、商品促進の効果を高めるための相応のものを選択する。
【０００８】
保持台部３は、図４〜図７に示すように販売促進表示板１の材質となるプラスチックシートによって折り曲げられ、表示部２の正面より前方（図６右側）に張り出されている。保持台部３は、図６に示すように水平の受け部３ａ、前部３ｂ及び下部３ｃによって側面「コ」形に形成されている。
【０００９】
係止溝４は、図５〜図７に示すように表示部２（販売促進表示板１）の幅の全長に亘って形成されており、かつ表示部から連続して背面側に向けて凸状に折り曲げられて保持台部３に達している。係止溝４は、下側の内壁が図６に示す例では保持台部３の受け部３ａで構成されている。
【００１０】
ハーフ形ダミー体５は、図１〜図４に示すプラスチックシートによって背部が開放された半割り状に形成加工されており、本体５ａ、上板５ｂ、下板５ｃ、取付け溝５ｄ及び保持片５ｅとからなる。本体５ａ、上板５ｂ、下板５ｃ、取付け溝５ｄ及び保持片５ｅは一体的にかつ弾性変形可能である。ハーフ形ダミー体５は、自動販売機の陳列部における図１鎖線に示す取付け板６上にダミー体取付け穴６ａを通じて直立状態に取り付けられるものである。
半割り丸缶状の本体５ａの表面には図示していないが商品名などが予め印刷されている。本体５ａにはその幅方向（図２左右方向）の両側縁にフック状の取付け片５ｆが対向配置されており、それぞれの取付け片は外方に突出されている。上板５ｂは本体５ａの上端開口を閉塞し、下板５ｃは下端開口を閉塞している底板である。ハーフ形ダミー体５の本体５ａの下部に取付け溝５ｄを設けてあり、ハーフ形ダミー体５の本体５ａの下部が取付け溝５ｄを介して取付け板６のダミー体取付け穴６ａに対して挿入及び離脱が可能である。ハーフ形ダミー体５の使用時には取付け板６の下面側に位置する（図２）。図１及び図２に示すように、保持片５ｅは下板５ｃの外周縁の両側終端にかつ取付け片５ｆの真下に設けられており、本体５ａの幅方向に対向的に配置されておりかつ幅方向に沿って外方に向って突出されている。
【００１１】
ここで、販売促進表示板１とハーフ形ダミー体５との関係について説明する。
保持台部３は、図４に示すように前部３ｂがハーフ形ダミー体５の本体５ａ側に張り出されており、その外面形状が本体の内面に対応する円弧状に形成されている。保持台部３は、図１及び図４に示すように本体５ａ内に差し込まれている状態では、受け部３ａの上面はハーフ形ダミー体５の上板５ｂの下面に接触し、また前部３ｂの外面が本体５ａの内面に接触している。
係止溝４はハーフ形ダミー体５の上板５ｂと結合可能であって、この係止溝内には上板の背面側の端部が係合可能である。上板５ｂの背面側の端部が係止溝４内に係合している状態では、この上板を係止溝の上側の内壁と保持台部３の受け部３ａの上面とが挟むように保持するから、図１及び図２に示すように販売促進表示板１はハーフ形ダミー体５上に安定した状態で起立される。
【００１２】
次に、販売促進表示板１及びハーフ形ダミー体５の使用方法について説明する。
まず、販売促進表示板１の正面とハーフ形ダミー体５の背面とを対向させ、係止溝４とハーフ形ダミー体５の上板５ｂとを突き合わせる。
ついで、販売促進表示板１の係止溝４内にハーフ形ダミー体５の上板５ｂを差し入れ、係止溝の奥の底部に上板５ｂの背面側の縁部が達するまでハーフ形ダミー体の本体５ａを後方に押し込むと、上板の背部の端部側は販売促進表示板１の係止溝４によって保持される。この結果、図１に示すように販売促進表示板１はハーフ形ダミー体５の上板５ｂ上に直立姿勢で起立される。この際、保持台部３は、図１に示すように本体５ａ内に差し込まれている状態では、受け部３ａの上面が上板５ｂの下面に接触され、また前部３ｂの外面が本体５ａの内面に接触され、このように保持台部が２箇所で密着状態に接触されていることによって、販売促進表示板１の安定した起立状態が維持される。
その後、販売促進表示板１を取り付けているハーフ形ダミー体５を取付け板６上に取り付ける。この取付け操作は次のようにして行う。すなわち、
まず、使用者は手で本体５ａの下部側であって、その幅方向の両側（左右両側）を挟み、その両側部が本体の弾性力に抗して互いに接近するように押圧させると、細く湾曲した状態になり、このような弾性変形した状態で取付け板６のダミー体取付け穴６ａに上下方向に対向させると共に、保持片５ｅも切欠部（図示せず。）を通じて、本体の下部をダミー体取付け穴６ａに挿入する。
挿入後、ダミー体取付け穴６ａの内周縁が取付け溝５ｄ内に納まった段階で本体５ａの下部の押圧を解除すると、ハーフ形ダミー体５の全体の形状が弾性力によって元の状態に回復し、取付け溝５ｄはダミー体取付け穴６ａの内周縁と係合し、保持片５ｅは取付け板６の下面に密着状態に当接される。この結果、ハーフ形ダミー体５は取付け板６上に直立状態に保持される。
【００１３】
図１に示す販売促進表示板１によれば、ハーフ形ダミー体５における本体５ａの上板５ｂの背面側を係止溝４に差し入れるだけであるから、すなわち販売促進表示板をハーフ形ダミー体の背面側から上板に係合するだけであるから、ハーフ形ダミー体に上板がある限り、ハーフ形ダミー体の種類を問わず着脱可能である。このことから、既存のハーフ形ダミー体にも簡易に取り付けて使用することができ、またハーフ形ダミー体の表示が変更されても新たなものと交換することによりその変更に対応することができる。換言すればハーフ形ダミー体５側に販売促進表示板１を取り付けるための何等の取付け手段を必要としないから汎用性が高められる。
図１に示す販売促進表示板１によれば、ハーフ形ダミー体５に何等の加工を施すことなくしかもこのハーフ形ダミー体に対して一体成形してある保持台部と係止溝とより着脱自在であるから、構成が簡単であって、製造コストを低く抑えることができる。
図１に示す販売促進表示板１によれば、軽量で薄い部材のプラスチックシートによって表示部２、保持台部３及び係止溝４が一体成形され、全体が軽量化されているから、倒れにくく、安定した取付け状態を維持することができる。
図１に示す販売促進表示板１によれば、係止溝４の下側内壁が保持台部３の受け部３ａの上面で構成され、保持台部が係止溝の一部を兼用しているので構成が簡単となると共に軽量化に寄与している。
【００１４】
販売促進表示板の他の実施の形態について図８を参照して説明する。
（Ａ）に示す販売促進表示板１Ａでは保持台部３Ａに特徴があり、その他の構成は前記販売促進表示板１と同一構成であり、そのため符号に関して販売促進表示板１の説明で用いた符号をそのまま使用している。保持台部３Ａは、前記保持台部３の下部３ｃに相当する部分がない点で相違するが、その他の構成は同一であり、符号について保持台部３に付している符号を使用して対応関係を明らかにしている。
（Ｂ）に示す販売促進表示板１Ｂでは、保持台部３Ｂに特徴がある。保持台部３Ｂはその本体を構成している受け部３Ｂａが前記保持台部３の受け部３ａに対応しているが、前部３ｂ及び下部３ｃに相当する部分がない点で保持台部３とは相違する。保持台部３Ｂの受け部３Ｂａは水平状態に設けても良いが、前側（図右側）に向けて右肩上がりに傾斜させて、係止溝４Ｂの差込み側の開口部に向けて狭くするのが望ましい。係止溝４Ｂを上記構成にすれば、販売促進表示板１Ｂの使用時に受け部３Ｂａのばね力によってハーフ形ダミー体の上板と係止溝４Ｂとの結合力が強化される。販売促進表示板１Ｂは、上記相違点を除き、その他の構成は販売促進表示板１と同一であり、符号に関して販売促進表示板１の符号を使用して対応関係を明らかにしている。
【００１５】
販売促進表示板のさらに他の実施の形態について図９〜図１２を参照して説明する。
図示する販売促進表示板１１は、前記販売促進表示板１と実質的な差異はない。相違点としては、表示部１２の外形形状が正面から見てほぼ鍵穴状であり、保持台部１３はその背面側が開口されたボックス形であって平面形状が半円形であることである。
販売促進表示板１１の商品促進事項１２ａ、保持台部１３の受け部１３ａ、前部１３ｂ及び下部１３ｃ及び係止溝１４は、いずれも販売促進表示板１の商品促進事項２ａ、保持台部３の受け部３ａ、前部３ｂ及び下部３ｃ、係止溝４にそれぞれ対応している。
販売促進表示板１１が取り付けられるハーフ形ダミー体１５は半割り状のボトル缶に成形されており、本体１５ａの上部が本体の一部である頭部１５ａ１となっている。
販売促進表示板１１はハーフ形ダミー体１５の頭部１５ａ１に着脱可能である。販売促進表示板１１の保持台部１３は頭部１５ａ１の背面側から嵌合可能である。販売促進表示板１１は、保持台部１３がハーフ形ダミー体１５の本体１５ａ内に嵌め込まれている状態では、図１０及び図１１に示すように受け部１３ａはハーフ形ダミー体１５の上板１５ｂの下面に密着され、前部１３ｂの外面が頭部１５ａ１の内面に密着されて、安定した直立姿勢が維持される。
図９に示すアダプタ７は、ハーフ形ダミー体１５の底部に配置してこのハーフ形ダミー体を取付け板（図示せず。）に直立状態に取り付けるための手段である。
１５ｃはハーフ形ダミー体１５の下板である。
【００１６】
販売促進表示板１１によれば、保持台部１３がハーフ形ダミー体１５の本体１５ａの頭部１５ａ１内に密着状態に嵌合された状態で直立するので、販売促進表示板の下部の保持状態が安定し、倒れにくく、直立姿勢の保持が強化される。
【００１７】
販売促進表示板１，１１の材質としてはフィルム状のプラスチックシートにより一体成形されているものであれば、製造が容易となり取扱いがしやすくなる利点があるが、必ずしもプラスチックシートにより形成されるものに限定されない。
係止溝４，４Ｂ，１４は、図１、図８及び図１０に示すように、表示部２，１２の背面側に形成しても、その反対側である前面側に設けても良い。そして係止溝４，４Ｂ，１４の下側の内壁を保持台部３，３Ａ，３Ｂ，１３の受け部で兼用させることによって構成を簡単にしているが、必ずしも図示するように兼用させることを要しない。
販売促進表示板１，１Ａ，１１の係止溝４，１４とハーフ形ダミー体５，１５の上板５ｂ，１５ｂとの結合強化のために、係止溝４Ｂのように差込み口側に向けて溝幅を狭くするようにして、保持台部３，３Ａ，１３の受け部３ａ，１３ａのばね力を利用するようにしても良い。
ハーフ形ダミー体５，１５の「半割り状」には「ほぼ半割り状」のものを含み、また全体の形状も半割り丸缶状、半割りボトル状のものに限られない。
【図面の簡単な説明】
【００１８】
【図１】この発明に係るハーフ形ダミー体用の販売促進表示板の使用状態を示す一部切欠側面図である。
【図２】この発明に係るハーフ形ダミー体用の販売促進表示板の使用状態を示す正面図である。
【図３】この発明に係るダミー体用の販売促進表示板の使用状態を示す平面図である。
【図４】図２のＩＶ−ＩＶ線断面図である。
【図５】この発明に係るハーフ形ダミー体用の販売促進表示板の正面図である。
【図６】図５のＶＩ−ＶＩ線拡大断面図である。
【図７】図５のＶＩＩ−ＶＩＩ線拡大断面図である。
【図８】（Ａ）及び（Ｂ）は、この発明に係るハーフ形ダミー体用の販売促進表示板の他の実施の形態をそれぞれ示す縦断面図である。
【図９】この発明に係るハーフ形ダミー体用の販売促進表示板のさらに他の実施の形態の使用状態を示す正面図である。
【図１０】図１０のＸ−Ｘ線断面図である。
【図１１】図１０のＸＩ−ＸＩ断面図である。
【図１２】この発明に係るハーフ形ダミー体用の販売促進表示板のさらに他の実施の形態を示す正面図である。
【符号の説明】
【００１９】
１，１Ａ，１Ｂ，１１        販売促進表示板
２，１２                    表示部
３，３Ａ，３Ｂ，１３        保持台部
３ａ，３Ｂａ，１３ａ        受け部
３ｂ，１３ｂ                前部
３ｃ，１３ｃ                下部
４，４Ｂ，１４              係止溝
５，１５                    ハーフ形ダミー体
５ａ，１５ａ                本体
１５ａ１                    頭部（本体）
５ｂ，１５ｂ                上板
【図１】
2007122460.tif 000003
【図２】
2007122460.tif 000004
【図３】
2007122460.tif 000005
【図４】
2007122460.tif 000006
【図５】
2007122460.tif 000007
【図６】
2007122460.tif 000008
【図７】
2007122460.tif 000009
【図８】
2007122460.tif 000010
【図９】
2007122460.tif 000011
【図１０】
2007122460.tif 000012
【図１１】
2007122460.tif 000013
【図１２】
2007122460.tif 000014